(57)【要約】      （修正有）【課題】画像を鮮明にし、高画質で撮像記録でき、監視対象が人物の場合特定でき、かつ店舗または事務所に対し必要な情報を提供することができ、種々の分野に利用し得るハイビジョントータライザを提供する。【解決手段】一以上の店舗又は事務所に設置される端末と、この端末とインターネット・ネットワークを介し接続される遠隔監視箇所とからなり、前記端末は、監視対象を検知するハイビジョンカメラ、センサ及び音響機器と、これらの出力が入力され、前記ハイビジョンカメラのハイビジョン映像を圧縮して前記インターネット・ネットワークへ伝送するハイビジョン映像エンコーダ／デコーダと、前記監視対象に対し音声及び画像で情報を提供するハイビジョンディスプレイを備え、前記遠隔監視箇所は、ＰＣソフトデコータを有し、監視対象を監視するパソコンと、ハードデコーダと、ハイビジョン映像配信サーバを有する映像配信センタとを備えた構成とした。【選択図】図１
0003141925.tif 000002
【実用新案登録請求の範囲】
【請求項１】
少なくとも一以上の店舗または事務所（Ａ〜Ｎ）に設置される端末（１００ａ〜１００ｎ）と、この端末（１００ａ〜１００ｎ）とインターネット・ネットワークＣを介し接続される遠隔監視箇所Ｂとからなり、
前記端末（１００ａ〜１００ｎ）は、監視対象を検知するハイビジョンカメラ（１）およびセンサ（４、５）と、前記ハイビジョンカメラ（１）のハイビジョン映像を圧縮して前記インターネット・ネットワークＣへ伝送するためのハイビジョン映像エンコーダ／デコーダ（６）と、
前記ハイビジョン映像エンコーダ／デコーダ（６）からの信号を受け取り、データを自動集計し、前記遠隔監視箇所Ｂ側へ送信し、かつ遠隔監視箇所Ｂ側から送られてきた情報を処理し前記ハイビジョンディスプレイ（９）に送出するセットトップボックス（８）とを備え、
前記遠隔監視箇所Ｂは、ＰＣソフトデコータを有し、監視対象を監視するパソコン（１０）と、ハードデコーダ（１１）と、ハイビジョン映像配信サーバを有する映像配信センタ（１２）とを備えてなる
ことを特徴とするハイビジョントータライザ。
【請求項２】
請求項１記載のハイビジョントータライザにおいて、前記ハイビジョン映像エンコーダ／デコーダ（６）はＨ．２６４圧縮技術を使用したハイビジョン映像エンコーダ／デコーダからなることを特徴とするハイビジョントータライザ。
【請求項３】
請求項１記載のハイビジョントータライザにおいて、前記遠隔監視箇所Ｂの前記映像配信センタ（１２）は、前記端末（１００ａ〜１００ｎ）のセットトップボックス（８）で複合画面表示用の処理手段、各店舗または事務所別のデータ作成保存、管理手段、配信手段を有することを特徴とするハイビジョントータライザ。
【考案の詳細な説明】
【技術分野】
【０００１】
この考案は、商業的に種々の分野で利用可能なハイビジョントータライザに関する。
【背景技術】
【０００２】
監視対象をカメラで取り込み、遠隔地で監視するシステムがある。
【特許文献１】特開２００１−２３０６３
【考案の開示】
【考案が解決しようとする課題】
【０００３】
従来のこの種の通常の監視カメラでは、ＮＴＳＣ方式の映像信号解像度（水平６４０×垂直４８０）であるため、問題発生時の映像が不鮮明で人物の特定が難しい、という課題があった。
また、この種のシステムは、専ら災害対策用のセキュリティを目的としたもので、商業的に種々の分野において広範囲で利用できるものはなかった。
【０００４】
この考案は、上記のことに鑑み提案されたもので、その目的とするところは、画像圧縮方式はＮＴＳＣのＪＰＥＧまたはモーションＪＰＥＧを用いず、ハイビジョンのＨ．２６４圧縮技術を使用したものとし、圧倒的に鮮明な画像とし、かつ高画質で撮像記録でき、監視対象が人物の場合、人物を特定でき、また店舗または事務所に対し必要な情報を提供することができ、しかも得られたデータを集計して種々の商業上の分野に利用し得るＶＥＩＤハイビジョントータライザシステムを提供することにある。ここで、ＶＥＩＤとは、ビジュアル・エンターテーメント・インフォメーション・ディスプレイ（Visual Entertainment ＆ Information Display）の意味である。
【課題を解決するための手段】
【０００５】
請求項１の考案は、少なくとも一以上の店舗または事務所（Ａ〜Ｎ）に設置される端末（１００ａ〜１００ｎ）と、この端末（１００ａ〜１００ｎ）とインターネット・ネットワークＣを介し接続される遠隔監視箇所Ｂとからなり、前記端末（１００ａ〜１００ｎ）は、監視対象を検知するハイビジョンカメラ（１）およびセンサ（４、５）と、前記ハイビジョンカメラ（１）のハイビジョン映像を圧縮して前記インターネット・ネットワークＣへ伝送するためのハイビジョン映像エンコーダ／デコーダ（６）と、前記ハイビジョン映像エンコーダ／デコーダ（６）からの信号を受け取り、データを自動集計し、前記遠隔監視箇所Ｂ側へ送信し、かつ遠隔監視箇所Ｂ側から送られてきた情報を処理し前記ハイビジョンディスプレイ（９）に送出するセットトップボックス（８）とを備え、前記遠隔監視箇所Ｂは、ＰＣソフトデコータを有し、監視対象を監視するパソコン（１０）と、ハードデコーダ（１１）と、ハイビジョン映像配信サーバを有する映像配信センタ（１２）とを備えてなることを特徴とする。
請求項２の考案は、請求項１記載のハイビジョントータライザにおいて、前記ハイビジョン映像エンコーダ／デコーダ（６）は、Ｈ．２６４圧縮技術を使用したハイビジョン映像エンコーダ／デコーダからなることを特徴とする。
請求項３の考案は、請求項１記載のハイビジョントータライザにおいて、前記遠隔監視箇所Ｂの前記映像配信センタ（１２）は、前記端末（１００ａ〜１００ｎ）のセットトップボックス（８）で複合画面表示用の処理手段、各店舗または事務所別のデータ作成保存、管理手段、配信手段を有することを特徴とする。
【考案の効果】
【０００６】
本考案によれば、端末のカメラは高画質で撮像できるはハイビジョンカメラを用いているため、監視対象が来訪者である場合、その特定ができる。
また、ハイビジョンカメラはセンサ連動とさせれば、来訪時のみ自動的に撮像録画でき、記録媒体を最小の容量で活用でき、かつこれによって経営判断の参考データ集計を自動化できる。
さらに、ハイビジョン映像はデータ量が多いが、本考案では高画質、高圧縮を達成できるＨ．２６４圧縮技術を使用したハイビジョン映像エンコーダ／デコーダを用いているため、データ量が多くても問題ない。
さらにまた、端末はハイビジョンディスプレイを有しているため、来訪者に対し必要な各種の情報を提供でき、セキュリティ、経営判断データ収集、顧客サービス端末等として商業的に種々の分野で活用できる。
また、本考案によれば、種々の利用が可能で、遠隔監視システム／セキュリティシステム＋経営判断映像提供等として用いることができる。
【考案を実施するための最良の形態】
【０００７】
以下、図面に沿って本考案の一実施例について説明する。
【実施例１】
【０００８】
図１は本考案に係るＶＥＩＤハイビジョントータライザのシステムの一実施例の全体構成図を示す。
【０００９】
図１に示す装置において、図中１００ａは店舗または事務所Ａに設けられる端末、Ｂは遠隔監視箇所でいわゆる本部２００内に設けられる。店舗または事務所Ａ内の端末の１００ａと遠隔監視箇所Ｂとはインターネット・ネットワークＣで接続されている。なお、店舗または事務所Ａは複数であっても良く、この場合も複数の店舗または事務所Ａ〜Ｎと対応して端末１００ａ〜１００ｎが設置され、それらは遠隔監視箇所Ｂとをインターネット・ネットワークＣを介し接続し、それぞれ情報の収集、提供等を行うようにする。
【００１０】
端末１００ａは、ハイビジョンカメラ１、集音マイク２、拡声スピーカ３のような音響機器、第１のセンサ４、第２のセンサ５等を有し、それらはＨ．２６４ハイビジョン映像エンコーダ／デコーダ６（以下、単にコーデックという）の入力側に接続され、コーデック６の出力側は後続のスイッチングハブ７に接続されている。コーデックとは、符号化方式を使ってデータのエンコード（符号化）とデコード（復号）を双方向にできる装置やソフトウェアなどのことである。コーデックには、Ｈ．２６１、Ｈ．２６３、Ｈ．２６４（ＭＰＥＧ−４ＡＶＣ）等がある。Ｈ．２６１は、ＩＳＤＮＴＶ会議システム用のコーデックである。Ｈ．２６３は、電話用モデムを想定したＨ．２６１よりも高い圧縮のコーデック、Ｈ．２６４は、Ｈ．２６３をより高い圧縮率のために改良したコーデックである。本考案では、このＨ．２６４のコーデックを用いている。
【００１１】
また、端末１００ａは、スイッチングハブ７に接続されたセットトップボックス８の出力により所定の画像を表示するハイビジョンディスプレイ９を有している。
【００１２】
他の店舗または事務所Ｂ〜Ｎも必要に応じ同様の構成の端末１００ｂ〜１００ｎが設けられる。
【００１３】
従来のモニタ装置のＮＴＳＣ方式の映像信号は、アナログＲＧＢのコンピュータ映像又はハイビジョン映像のため、映像が不鮮明であるが、本考案の端末１００ａ〜１００ｎは、その基本構成として、少なくとも、来訪者の有無や来訪者が誰であるかを特定可能な、フルハイビジョン信号（水平１９２０×垂直１０８０）のハイビジョンカメラ１と、来訪者への各種サービスや来訪者にとって必要な情報等の提供のためハイビジョンディスプレイ９とを組み合わせたユニットとしている。本考案では、このようなモニタ装置を用いたため、商品説明、店舗内案内等の高画質によるＰＯＰ端末としても活用可能としている。
【００１４】
本部２００として機能する遠隔監視箇所Ｂは、パソコン１０、ハードデコーダ１1、映像配信センタ１２等を備え、それらはインターネット・ネットワークＣに接続され、遠隔監視箇所Ｂと各店舗または事務所Ａ〜Ｎに設置された各端末１００ａ〜１００ｎとはインターネット・ネットワークＣを介し接続されている。
【００１５】
端末１００ａにおいて、ハイビジョンカメラ１は周囲の状況、来訪者が訪れたか否かを撮影するためのもの、集音マイク２は音声を拾うためのもの、拡声スピーカ３は必要な告知、情報等を来訪者に提供するためのものである。
【００１６】
第１、第２のセンサ４、５は人感センサからなり、第１、第２のセンサ４、５による検知によりハイビジョンカメラ１を動作させるなどし、その映像信号により、来訪した来訪者、退出者の区別をしたり、時間帯別在室者数の把握、来訪者数の集計など経営判断となるデータ収集をするもので、人手をかけずに毎日自動収集することで、時間帯別、来訪者の性別、年齢、仕事種などの経営判断の参考データ収集等を自動でできる機能を持たせている。また、必要に応じＰＯＳシステムと連動させることができる。
【００１７】
セットトップボックス８に接続されたハイビジョン・ディスプレイ９は、液晶ディスプレイ、プラズマディスプレイまたは有機ＥＬ等からなる情報の表示装置で、インターネット・ネットワークＣを経由して、遠隔監視箇所Ｂ側から配信されてきた情報を表示する。表示内容としては、例えば、店舗内案内、商品説明、イベント等の告知、環境映像送出などであり、顧客サービスのできるＰＯＰ端末としても活用できるようにしている。
【００１８】
コーデック６は、インターネット経由で何人もが見ても良いようにマルチキャスト配信（反対はユニキャストと呼ばれ、アクセスする側とされる側が双方向で結ばれてしまうので、アクセス数が増えるとデータ転送が重くなってしまう）を採用しているため、警備保障会社や本社内部署など複数箇所からの閲覧が負荷が大きくならずに可能となる。
【００１９】
また、このコーデック６を用いると、接続先の映像がリアルタイムで、パソコンによるデコードよりもスムーズにできるようになる。顧客動向など常時、見たい場合に有効である。
【００２０】
セットトップボックス８は、ハイビジョンカメラ１からのハイビジョン映像を高画質高圧縮するコーデック６からのイーサ（ＬＡＮ）信号を受け取り、センサ反応時にその時の来訪者の映像、時間を記録し、なおかつ現在の在室人員数、来訪者の時間別集計、平均的滞留時間など経営判断の参考データを自動集計し、その集計結果をスイッチングハブ７、インターネット・ネットワークＣを介し本部、つまり遠隔監視箇所Ｂ側に送信する機能を有する。また、本部２００から送られてくる各種のデータを受信蓄積し、そのデータに従いハイビジョンディスプレイ９に映像を送出表示する。
【００２１】
図２は端末１００ａ〜１００ｎの概略正面図の一例である。ハイビジョンディスプレイ９は天吊ポールＤにて吊るされ、下部には、ハイビジョンカメラ１、集音マイク、拡声スピーカ、第１、第２のセンサ、セットトップボックス（ハイビジョンカメラ１のみ図示、その他は図示せず）等が内蔵されたユニット９Ａが設けられる。
【００２２】
遠隔監視箇所Ｂにおいて、映像配信センタ１２は、業務上必要な情報、例えば店舗案内、商品説明、イベントなどの告知、環境映像などの顧客サービスのための映像コンテンツや表示パターン、表示スケジュールなどの情報をインターネット・ネットワークＣを介し店舗または事務所Ａ側の端末１００ａのセットトップボックス８に送るためのものである。
【００２３】
この映像配信センタ１２はハイビジョン映像配信サーバを包有して構成され、端末１００のセットトップボックス８で複合画面を表示するための画面構成データ、動画／静止画コンテンツデータ、テキスト（文字情報）などを作成送信する手段を持つ。さらに、各店舗または事務所Ａ〜Ｎ別の管理機能手段を有し、店舗ごとに別のデータを作成保存できる。データは随時各端末１００ａ〜１００ｂに配信される。それらの手段自体は公知の技術を用いれば実現できる。
【００２４】
パソコン１０は、ＰＣソフトデコーダを備え、セキュリティや経営分析用に使用でき、あるいは訪問者を監視する。
【００２５】
ハードデコーダ１１はリアルタイム監視装置を備え、店舗または事務所Ａ〜Ｎ側のハイビジョンカメラ１を介し送られてきた情報をリアルタイムで監視するためのものである。
【００２６】
次に本考案のＶＥＩＤハイビジョントータライザの動作を説明する。
【００２７】
店舗または事務所Ａ〜Ｎの入口に、ハイビジョンカメラ１、ハイビジョンディスプレイ９、マイク２およびスピーカ３の音響機器、第１、第２のセンサ４、５、コーデック６、セットトップボックス８等が一体化された端末１００ａを設置する。
【００２８】
入口に監視対象である来訪者が近づくまたは入場すると、センサ４、５はそれを検知し、検知信号を送信する。検知するセンサとしては人感センサを用いれば良い。この検知によりハイビジョンカメラ１が作動し、映像を取り込み、映像信号がコーデック６に送出され、コーデック６において高圧縮されそのデータがスイッチングハブ７およびインターネット・ネットワークＣを介し本部２００側へ送られる。
【００２９】
また、来訪者などの音声をマイク２で拾い処理することができる。
【００３０】
また、コーデック６からのイーサ（ＬＡＮ）信号を受け、セットトップボックス８はセンサ４、５反応時に来訪者に関する種々の、例えば来訪者数の集計などの経営参考データを自動集計するなどし、その集計結果などをスイッチングハブ７およびインターネット・ネットワークＣを介し本部２００側へ送られる。
【００３１】
本部２００側では、ＶＥＩＤハイビジョントータライザの使用目的に応じた処理、例えばセキュリティへの適用か、あるいは来訪者は男か女か、大人か子供か、何を望んでいるか等の経営判断等の処理を行い、来訪者に対し必要な情報、例えば店舗案内、商品説明、イベントなどの告知などを映像配信センタ１２で処理を行い、インターネット・ネットワークＣを介し所定の端末１００ａ〜１００ｎに送る。送られてきたデータはスイッチングハブ７を介しセットトップボックス８に入力・処理され、ハイビジョンディスプレイ９に所定の映像が表示される。
【００３２】
店舗または事務所Ａ〜Ｎ側にいる来訪者は端末１００ａ〜１００ｎの表示を見て自分に必要な情報を得ることができる。
【００３３】
遠隔監視箇所Ｂでは、パソコン１０により複数箇所の店舗または事務所Ａ〜Ｎの様子をインターネット・ネットワークＣを介し監視が可能であり、それに応じた対応をとることができる。
【００３４】
したがって、本考案のＶＥＩＤハイビジョントータライザにおいて、本部２００は、例えば、総合セキュリティ監視所として近隣の警備保障会社であったり、セキュリティ部門であったりと、各店舗または事務所Ａ〜Ｎの体制により選択可能なシステムとすることができる。本考案では、種々の利用の仕方ができ、遠隔監視システム／セキュリティシステム＋経営判断映像提供等を行うことができる。
【００３５】
また、遠隔監視箇所Ｂは、時間別来訪者の性別、年齢、職業等の顧客やその動向を分析するためのチェーンストアの本部、営業、企画部門等としての役割を担わせる部署とすることもできる。
【００３６】
なお、上記実施例では、端末１００ａを店舗または事務所Ａの入口に設置した場合について説明したが、店内または事務所内の必要とされる箇所に設けても良い。また、事務所に限定されるものでなく、会社にも適用し得る。
【００３７】
また、センサは２つでなくても良く、状況に応じて適宜増減し得る。
【００３８】
さらに、端末１００ａの外観は、図２の態様に限定されるものでなく、例えば壁埋込型あるいは取付台の上に設置したタイプとしても良い。
【図面の簡単な説明】
【００３９】
【図１】本考案のＶＥＩＤハイビジョントータライザの一実施例の全体構成のブロック図を示す。
【図２】同上の外観の一例の正面図を示す。
【符号の説明】
【００４０】
Ａ〜Ｎ    店舗または事務所
Ｂ        遠隔監視箇所
Ｃ        インターネット・ネットワーク
１００ａ〜１００ｎ    端末
２００    本部
１        ハイビジョンカメラ
２        集音マイク
３        拡声スピーカ
４        第１のセンサ
５        第２のセンサ
６        Ｈ．２４６ハイビジョン映像エンコーダ／デコーダ（コーデック）
７        スイッチングハブ
８        セットトップボックス
９        ハイビジョンディスプレイ
１０      パソコン
１１      ハードデコーダ
１２      映像配信センタ
【図１】
0003141925.tif 000003
【図２】
0003141925.tif 000004
【手続補正書】
【提出日】平成20年3月21日(2008.3.21)
【手続補正１】
【補正対象書類名】実用新案登録請求の範囲
【補正対象項目名】全文
【補正方法】変更
【補正の内容】
【実用新案登録請求の範囲】
【請求項１】
少なくとも一以上の店舗または事務所（Ａ〜Ｎ）に設置される端末（１００ａ〜１００ｎ）と、この端末（１００ａ〜１００ｎ）とインターネット・ネットワークＣを介し接続される遠隔監視箇所Ｂとからなり、
前記端末（１００ａ〜１００ｎ）は、監視対象を検知するセンサ（４、５）と、このセンサ（４、５）の検知により前記監視対象を撮像するハイビジョンカメラ（１）と、前記ハイビジョンカメラ（１）のハイビジョン映像を圧縮し前記インターネット・ネットワークＣへ伝送するためのハイビジョン映像エンコーダ／デコーダ（６）と、
前記ハイビジョン映像エンコーダ／デコーダ（６）からの信号を受け取り、データを自動集計し、前記遠隔監視箇所Ｂ側へ送信し、かつ遠隔監視箇所Ｂ側から送られてきた情報を処理し前記ハイビジョンディスプレイ（９）に送出するセットトップボックス（８）とを備え、
前記遠隔監視箇所Ｂは、前記端末から送られてきた情報を受け、前記店舗または事務所を監視可能なＰＣソフトデコーダを有するパソコン（１０）と、前記端末（１００ａ〜１００ｎ）側のハイビジョンカメラ（１）を介し送られてきた情報をリアルタイムで監視するハードデコーダ（１１）と、前記端末（１００ａ〜１００ｎ）から送られたきた情報をもとに前記監視対象に対し必要な情報を前記インターネット・ネットワークＣを経て前記端末（１００ａ〜１００ｎ）側へ配信する映像配信センタ（１２）とを備えてなる
ことを特徴とするハイビジョントータライザ。
【請求項２】
請求項１記載のハイビジョントータライザにおいて、前記ハイビジョン映像エンコーダ／デコーダ（６）はＨ．２６４圧縮技術を使用したハイビジョン映像エンコーダ／デコーダからなることを特徴とするハイビジョントータライザ。
【請求項３】
請求項１記載のハイビジョントータライザにおいて、前記遠隔監視箇所Ｂの前記映像配信センタ（１２）は、前記端末（１００ａ〜１００ｎ）のセットトップボックス（８）で複合画面表示用の処理手段、各店舗または事務所別のデータ作成保存、管理手段、配信手段を有することを特徴とするハイビジョントータライザ。
【手続補正２】
【補正対象書類名】明細書
【補正対象項目名】０００５
【補正方法】変更
【補正の内容】
【０００５】
請求項１の考案は、少なくとも一以上の店舗または事務所（Ａ〜Ｎ）に設置される端末（１００ａ〜１００ｎ）と、この端末（１００ａ〜１００ｎ）とインターネット・ネットワークＣを介し接続される遠隔監視箇所Ｂとからなり、前記端末（１００ａ〜１００ｎ）は、監視対象を検知するセンサ（４、５）と、このセンサ（４、５）の検知により前記監視対象を撮像するハイビジョンカメラ（１）と、前記ハイビジョンカメラ（１）のハイビジョン映像を圧縮し前記インターネット・ネットワークＣへ伝送するためのハイビジョン映像エンコーダ／デコーダ（６）と、前記ハイビジョン映像エンコーダ／デコーダ（６）からの信号を受け取り、データを自動集計し、前記遠隔監視箇所Ｂ側へ送信し、かつ遠隔監視箇所Ｂ側から送られてきた情報を処理し前記ハイビジョンディスプレイ（９）に送出するセットトップボックス（８）とを備え、前記遠隔監視箇所Ｂは、前記端末から送られてきた情報を受け、前記店舗または事務所を監視可能なＰＣソフトデコーダを有するパソコン（１０）と、前記端末（１００ａ〜１００ｎ）側のハイビジョンカメラ（１）を介し送られてきた情報をリアルタイムで監視するハードデコーダ（１１）と、前記端末（１００ａ〜１００ｎ）から送られたきた情報をもとに前記監視対象に対し必要な情報を前記インターネット・ネットワークＣを経て前記端末（１００ａ〜１００ｎ）側へ配信する映像配信センタ（１２）とを備えてなることを特徴とする。
請求項２の考案は、請求項１記載のハイビジョントータライザにおいて、前記ハイビジョン映像エンコーダ／デコーダ（６）は、Ｈ．２６４圧縮技術を使用したハイビジョン映像エンコーダ／デコーダからなることを特徴とする。
請求項３の考案は、請求項１記載のハイビジョントータライザにおいて、前記遠隔監視箇所Ｂの前記映像配信センタ（１２）は、前記端末（１００ａ〜１００ｎ）のセットトップボックス（８）で複合画面表示用の処理手段、各店舗または事務所別のデータ作成保存、管理手段、配信手段を有することを特徴とする。